(57)【特許請求の範囲】
【請求項１】
２つの部材を向かい合せに合せてなる容器本体の内側に、揮散剤の収納空間が形成され、フックによって吊り下げ可能な吊り下げ式揮散剤用容器において、
一方の部材は、その外縁部がフランジ部として形作られており、当該フランジ部で取り囲まれた内側に、他方の部材との合せ側に開口して揮散剤を配置する凹部と、当該合せ側に開口して揮散剤の効能を表示するインジケータを配置する凹部とが形成されたものであり、
他方の部材は、その外縁部が一方の部材のフランジ部と向かい合わせに合さるフランジ部として形作られており、上下に配置された当該フランジ部の合せ側にそれぞれ、互いに向かい合うように横方向に延在して、一方の部材の上側のフランジ部及び下側のフランジ部を横方向から挿し込み可能にしつつ当該フランジ部を摺動可能に保持するレール溝を有し、かつ、フックが一体に設けられたものであることを特徴とする吊り下げ式揮散剤用容器。
【請求項２】
請求項１において、２つの部材がそれぞれ、異材質で構成されていることを特徴とする、吊り下げ式揮散剤用容器。
【請求項３】
請求項２において、前記一方の部材がポリエステル系樹脂で構成されていると共に、前記他方の部材がポリオレフィン系樹脂で構成されていることを特徴とする、吊り下げ式揮散剤用容器。
【請求項４】
請求項２において、前記一方の部材がポリエチレンテレフタレートで構成されていると共に、前記他方の部材がポリプロピレン又はポリエチレンで構成されていることを特徴とする、吊り下げ式揮散剤用容器。
【請求項５】
請求項１乃至４のいずれか１項において、揮散剤が防虫剤であることを特徴とする、吊り下げ式揮散剤用容器。
【請求項６】
請求項１乃至５のいずれか１項において、レール溝と、当該レール溝に摺動保持される前記一方の部材のフランジ部とに、互いに引っ掛かって係止される抜け止め部を設けたことを特徴とする吊り下げ式揮散剤用容器。
【請求項７】
請求項１乃至６のいずれか１項において、揮散剤及びインジケータの少なくとも一方は、凹部の輪郭に沿って間隔を空けて複数のリブを設け、当該リブに取り囲まれる領域に、揮散剤及びインジケータの少なくとも一方が嵌合保持されることを特徴とする吊り下げ式揮散剤用容器。
【発明の詳細な説明】
【技術分野】
【０００１】
本発明は、防虫剤等の揮散剤を収納する容器本体をフックによって吊り下げ保持される吊り下げ式揮散剤用容器に関するものである。
【背景技術】
【０００２】
吊り下げ式揮散剤用容器としては、例えば、防虫剤を収納するものがあるが、防虫剤の含有成分によっては、容器本体を構成する材料に吸収されるため、有効成分が減少することが知られており、これを改善する方法としては、例えば、有効成分の吸収を阻止する材料を用いて揮散剤用容器を形成するものがある（例えば、特許文献１参照）。
【先行技術文献】
【特許文献】
【０００３】
【特許文献１】特許第３８７２１９５号明細書
【発明の概要】
【発明が解決しようとする課題】
【０００４】
一方、吊り下げ式揮散剤用容器は、ハンガーパイプ等に引っ掛ける必要があるため、フックの部分は比較的柔軟であることが好ましい。また、容器本体もその内側に防虫剤を収納するため、２つの部材を向かい合わせて形成しているが、２つの部材は、ヒンジを介して連結されている。このため、ヒンジのような可動部分についても柔軟性が求められる。
【０００５】
しかしながら、フックを部材に一体に設けたり、２つの部材をヒンジ等で連結した場合、使用される材料が、揮散剤との関係で要求される性能（例えば、揮散剤成分に対する吸着性）と、フックの機能との関係で要求される性能（例えば、柔軟性）とが同時に実現できないものの場合に不利である。
【０００６】
また、２つの部材を連結することで向かい合わせて嵌め合わせる場合には、その輪郭に沿った嵌め込みにより容器本体を形成する必要があるため、その組み付け作業も煩雑である。
【０００７】
本発明の目的とするところは、２つの部材を別体で構成することで、２つの部材をフックと共に機能に併せた材料で構成することできて、その組み付けも容易な、新規な吊り下げ式揮散剤用容器を提供することにある。
【課題を解決するための手段】
【０００８】
本発明は、２つの部材を向かい合せに合せてなる容器本体の内側に、揮散剤の収納空間が形成され、フックによって吊り下げ可能な吊り下げ式揮散剤用容器において、一方の部材は、その外縁部がフランジ部として形作られており、当該フランジ部で取り囲まれた内側に、他方の部材との合せ側に開口して揮散剤を配置する凹部と、当該合せ側に開口して揮散剤の効能を表示するインジケータを配置する凹部とが形成されたものであり、他方の部材は、その外縁部が一方の部材のフランジ部と向かい合わせに合さるフランジ部として形作られており、上下に配置された当該フランジ部の合せ側にそれぞれ、互いに向かい合うように横方向に延在して、一方の部材の上側のフランジ部及び下側のフランジ部を横方向から挿し込み可能にしつつ当該フランジ部を摺動可能に保持するレール溝を有し、かつ、フックが一体に設けられたものであることを特徴とするものである。
【０００９】
本発明によれば、２つの部材が別体で構成されるため、互いをそれぞれ、異材質で構成することができる。この場合、揮散剤及びインジケータを配置する側の部材をポリエステル系樹脂で構成し、フックを設けた部材をポリオレフィン系樹脂で構成することができる。更に、この場合、揮散剤及びインジケータを配置する側の部材をポリエチレンテレフタレートで構成し、フックを設けた部材をポリプロピレン又はポリエチレンで構成することができる。
【００１０】
本発明に係る、揮散剤としては、例えば、防虫剤、芳香剤、消臭剤や防黴剤などが挙げられる。
【００１１】
また、本発明では、レール溝と、当該レール溝に摺動保持されるフランジ部とに、互いに引っ掛かって係止される抜け止め部を設けることが好ましい。更に、本発明に従えば、２つの部材のいずれか一方に、他方の部材の横方向側に位置する外縁と接触して２つの部材を位置合せするためのストッパ部を設けることができる。
【００１２】
また、揮散剤及びインジケータの少なくとも一方は、凹部の輪郭に沿って間隔を空けて複数のリブを設け、当該リブに取り囲まれる領域に、揮散剤及びインジケータの少なくとも一方を嵌合保持することができる。
【００１３】
なお、本発明は、少なくとも一方の部材を、揮散剤及びインジケータを配置する凹部を有する収納体としているが、他方の部材については、凹部を設けることなく蓋体として構成できることは勿論、一方の部材と同様、揮散剤及びインジケータを配置可能な凹部を有する収納体とすることもできる。
【発明の効果】
【００１４】
本発明は、２つの部材を、揮散剤とインジケータを配置した部材と、フックを有する部材と分けて別体で構成したことで、２つの部材を機能に併せた材料で構成することできる。また、一方の部材を他方の部材の横方向からレール溝に沿って向かい合わせに挿入してスライド（移動）するだけの簡単な作業で容器本体を形成できるため、２つの部材の組み付け作業も容易になる。更に、他方の部材にはフックが一体に設けられているので、フックを組み付ける作業が不要となる分、組み付けが更に容易になる。
【００１５】
従って、本発明によれば、２つの部材をフックと共に機能に併せた材料で構成することできて、その組み付けも容易な、新規な吊り下げ式揮散剤用容器を提供することができる。
【図面の簡単な説明】
【００１６】
【図１】本発明である、吊り下げ式揮散剤用容器の一形態である、吊り下げ式防虫剤用容器を示す正面図である。
【図２】（ａ）は図１のＡ−Ａ断面図であり、（ｂ）は図１のＢ−Ｂ断面図である。
【図３】同形態に係る、第１の部材を示す正面図である。
【図４】（ａ）は図３のＣ−Ｃ断面図であり、（ｂ）はＤ−Ｄ断面図である。
【図５】（ａ）は図３の領域Ｚを裏面側から示す要部拡大図であり、（ｂ）は図３のＥ−Ｅ断面図である。
【図６】同形態に係る、第２の部材を示す正面図である。
【図７】（ａ）は図６のＦ−Ｆ断面図であり、（ｂ）はＧ−Ｇ断面図である。
【図８】同形態において、第１部材を横スライドさせて第２部材に組み付ける工程を示す組付図である。
【発明を実施するための形態】
【００１７】
以下、図面を参照して、本発明の一形態である、吊り下げ式防虫剤用容器を詳細に説明する。
【００１８】
図１は、本発明の一形態である、吊り下げ式防虫剤用容器１を示し、符号２は、容器本体である。容器本体２は、同図に示すように、その外観形状が横長の矩形であって、第１の部材（以下、「第１部材」）３と第２の部材（以下、「第２部材」）４とを向かい合せに合せることで形成される。
【００１９】
詳細には、第１部材３は、図３に示すように、その外縁部がフランジ部３ａとして形作られている。フランジ部３ａで取り囲まれた内側には、図４(a)に示すように、第２部材４との合せ面３ｆ側に開口して防虫剤シートＳ1を配置する凹部３ｎ1が形成されている。また、凹部３ｎ1を形作る膨出壁３ｂ1には、凹部３ｎ1を外界に通じさせるための複数の開口部Ａ1が形成されている。
【００２０】
凹部３ｎ1は、その輪郭（周方向）に沿って間隔を空けて複数の保持リブ３ｒが形成されている。保持リブ３ｒはそれぞれ、図５(a)に示すように、凹部３ｎ1を形作る膨出壁３ｂ1と一体に設けられている。防虫剤シートＳ1は、複数の保持リブ３ｒで取り囲まれた領域内に圧入嵌合させることによって、凹部３ｎ1内に固定保持されている。
【００２１】
更に詳細には、保持リブ３ｒは、防虫剤シートＳ1の外周縁を保持する先端縁３ｒ1が、同図に示すように先細りした形状をなしている。これにより、保持リブ３ｒは、防虫剤シートＳ1の外周縁との接触面積を抑えつつ、防虫剤シートＳ1を固定保持することができる。
【００２２】
加えて、保持リブ３ｒには、防虫剤シートＳ1の表面を保持する座面３ｒ2が設けられている。座面３ｒ2は、凹部３ｎ1の深さ方向に対して防虫剤シートＳ1を位置決めする。これにより、防虫剤シートＳ1は、凹部３ｎ1に対して膨出壁３ｂ1と接触することなく配置される。
【００２３】
更に、フランジ部３ａは、図３に示すように、拡大領域部Ｘを有する。拡大領域部Ｘは、図２(b)に示すように、防虫剤シートＳ1の効能を表示するインジケータシートＳ2の収納部７を構成する。拡大領域部Ｘには、図４(b)に示すように、第２部材４との合せ面３ｆ側に開口してインジケータシートＳ2を配置する凹部３ｎ2が形成されている。また、凹部３ｎ2を形作る膨出壁３ｂ2には、凹部３ｎ2を外界に通じさせる開口部Ａ2が形成されている。インジケータシートＳ2も防虫剤シートＳ1と同様、保持リブ３ｒにより、凹部３ｎ2内に固定保持されている。なお、凹部３ｎ2は、上側のフランジ部３ａ1に形成されているが、凹部３ｎ1と繋げることで、１つの凹部とすることもできる。
【００２４】
一方、第２部材４も、図６に示すように、その外縁部が第１部材３のフランジ部３ａと向かい合わせに合さるフランジ部４ａとして形作られている。フランジ部４ａで取り囲まれた内側には、図７に示すように、第１部材３との合せ面４ｆ側に開口して防虫剤シートＳ1を配置可能な凹部４ｎ1が形成されている。凹部４ｎ1は、図２(a)に示すように、第１部材３の凹部３ｎ1との間に、防虫剤シートＳ1の収納空間Ｒ1を形成する。
【００２５】
凹部４ｎ1は、第１部材３の凹部３ｎ1に配置された防虫剤シートＳ1との間に隙間を形成する。これにより、防虫剤シートＳ1が凹部４ｎ1を形作る膨出壁４ｂ1に接触することを防止する。なお、凹部４ｎ1は、第１部材３の凹部３ｎ1が、この凹部３ｎ1に配置された防虫剤シートＳ1を合せ面から突出させない深さである場合は省略することができる。
【００２６】
また、膨出壁４ｂ1にも、凹部４ｎ1を外界に通じさせるための複数の開口部Ａ1が形成されている。これにより、収納空間Ｒ1に配置された防虫剤シートＳ1の有効成分は、第１部材３及び第２部材４のそれぞれの開口部Ａ1から外界に揮散させることができる。
【００２７】
更に、上下に配置されたフランジ部４ａの合せ面４ｆ側にはそれぞれ、図６等に示すように、横方向に延在するレール溝４ｇが設けられている。レール溝４ｇは、図７等に示すように、互いに向かい合うＬ字形の案内部４ｃによって、合せ面４ｆとの間に形成される。案内部４ｃは、合せ面４ｆから突出して当該合せ面４ｆの輪郭を描くように延在するリブ４ｃ1と、当該リブ４ｃ1の先端に繋がる側壁４ｃ2からなる。これにより、レール溝４ｇは、第１部材３の上側のフランジ部３ａ1及び下側のフランジ部３ａ2を横方向から挿し込み可能にしつつ当該フランジ部３ａ1及び３ａ2を摺動可能に保持することができる。
【００２８】
即ち、第１部材３は、後述のとおり、図８に示すように、レール溝４ｇに沿って向かい合わせに挿し込んでスライドさせることで、図１に示すように、第２部材４に組み付けることができる。
【００２９】
更に、第２部材４には、フランジ部４ａ1と一体に、フック５が設けられている。フック５は、第２部材４の上端に連結されるフック本体５ａと、このフック本体５ａの背側に輪郭に沿って形成された補強リブ５ｂからなる。更に、フランジ４ａ1は、図６に示すように、拡大領域部Ｙを有する。拡大領域部Ｙは、フック５をハンガーパイプ等に引っ掛けるための開口側と反対側の背側部分まで拡大し、図２(b)に示すように、第１部材３の拡大領域部Ｘと共に、インジケータ収納部７を構成する。即ち、拡大領域部Ｙは、凹部３ｎ2との間に、インジケータシートＳ2の収納空間Ｒ2を形成する。これにより、インジケータシートＳ2の収納空間Ｒ2は、図８に示すように、第１部材３を横方向からレール溝４ｇに沿ってスライドさせて第２部材４に組み付けることで、フック５に隣接した容器本体２の上側の位置に形成される。
【００３０】
なお、本形態では、リブ４ｃ1を、フック５の背側部分（補強リブ５ｂ）側で開放するように形成する。この場合、第１部材３を横方向からスライドさせて組み付けるときにフック５と干渉することを回避できる。但し、収納空間Ｒ2のレイアウトは、容器本体２の合せ面に沿った輪郭位置であれば適宜、変更することができる。このため、第１部材３をスライドさせる方向は、収納空間Ｒ2のレイアウトに応じてフック５の開放側からでもよい。
【００３１】
このように、本発明は、２つの部材３，４を、防虫剤シートＳ1とインジケータシートＳ2を配置した第１部材３と、フック５を有する第２部材４と分けて別体で構成したことで、２つの部材３，４を機能に併せた材料で構成することできる。また、第１部材３を第２部材４の横方向からレール溝４ｇに沿って向かい合わせに挿入してスライドするだけの簡単な作業で容器本体２を形成できるため、２つの部材３，４の組み付け作業も容易になる。更に、第２部材４にはフック５が一体に設けられているので、フック５を組み付ける作業が不要となる分、組み付けが更に容易になる。
【００３２】
従って、本発明によれば、２つの部材３，４をフック５と共に機能に併せた材料で構成することできて、その組み付けも容易な、新規な吊り下げ式防虫剤用容器１を提供することができる。
【００３３】
また、２つの部材３，４をそれぞれ、異材質で構成すれば、上述のように、２つの部材３，４にそれぞれ、材質に応じた異なる機能を与えることができる。
【００３４】
例えば、防虫剤が常温揮散性ピレスロイドを含有するものである場合、第１部材３をポリプロピレン樹脂（以下、「ＰＰ樹脂」）やポリエチレン樹脂（以下、「ＰＥ樹脂」）で構成すると、その有効成分が第１部材３に吸収されてしまうため、防虫効果を長期に渡って持続させることができない（特許文献１［０００５］参照）。
【００３５】
そこで、防虫剤シートＳ1が配置される第１部材３を、常温揮散性ピレスロイドを吸収し難いポリエチレンテレフタレート樹脂（以下、「ＰＥＴ樹脂」）等のポリエステル系樹脂で構成すれば、防虫剤シートＳ1の有効成分が減少し難く、防虫効果を長期に渡って持続させることができる。
【００３６】
また、インジケータシートＳ2には、防虫剤シートＳ1と同様の有効成分（常温揮散性ピレスロイド）を含ませることで、常温揮散性ピレスロイドの揮散に従って、色彩を異ならせたり、「おしまい」等の文字を浮き出させて、防虫効果が失われていることを表示するように構成されているが、第１部材３をＰＥＴ樹脂で構成すれば、その有効成分が第１部材３に吸着されることなく、実際の防虫効果が失われるタイミングと、それを警告表示するタイミングにずれを生じ難く、適正なタイミングでの警告表示に有効である。
【００３７】
一方、第２部材４をポリエステル系樹脂で構成すると、ＰＥＴ樹脂等の硬度の高い材料を選択することになるので、フック５をハンガーパイプ等に引っ掛け難く、使い勝手がよくない。そこで、第２部材４を、比較的柔軟な材料であるポリプロピレン樹脂（以下、「ＰＰ樹脂」）やポリエチレン樹脂（以下、「ＰＥ樹脂」）等のポリオレフィン系樹脂で構成すれば、フック５をハンガーパイプ等に引っ掛け易く、使い勝手がよい。
【００３８】
本発明によれば、揮散剤として、防虫剤以外にも、芳香剤、消臭剤や防黴剤などを採用することができるが、上述したところからも明らかなように、本発明は、揮散剤が防虫剤であるときに特に有効である。また、本形態の如く、インジケータシートＳ2をフック５と共に配置すれば、箪笥に収納したときも、衣服で見えなくなることなく、インジケータシートＳ2の表示を視認できる。
【００３９】
また、本形態では、図１の拡大図に示すように、第１部材３のフランジ部３ａ2と、このフランジ部３ａ2を摺動可能に保持するレール溝４ｇとに、互いに引っ掛かって係止される抜け止め部６ａ，６ｂが設けられている。抜け止め部６ａは、フランジ部３ａ2に設けられた突起部であり、抜け止め部６ｂは、リブ４ｃ1を分断させて形成された欠損部である。
【００４０】
詳細には、抜け止め部６ａは、突起部を形作る側縁のうち、第１部材３を第２部材４に挿し込んでスライドさせるときの後方に位置する側縁６ａ1であり、抜け止め部６ｂは、欠損部を形作る側縁のうち、第１部材３を第２部材４に挿し込んでスライドさせるときの前方に位置する側縁６ｂ1である。
【００４１】
この場合、第１部材３を第２部材４に挿し込んでスライドさせて、所定量だけスライドすると、図１に示すように、抜け止め部６ａが抜け止め部６ｂに嵌まり込む。これにより、第２部材４に組み付けた後、第１部材３を引き出そうしても、抜け止め部６ａの側縁６ａ1が抜け止め部６ｂの側縁６ｂ1に引っ掛かって係止されることで、第１部材３を容易に引き出すことができなくなる。
【００４２】
また、本形態では、抜け止め部６ａは、第１部材３を第２部材４に挿し込んでスライドさせる際の進行方向に向かって裾野を広げる傾斜面６ａ2を有する。これにより、抜け止め部６ａは、第１部材３を第２部材４に挿し込んで組み付けるとき、リブ４ｃ1の内側面（溝底面）４ｇ1に対して比較的小さな抵抗でスライドできる。
【００４３】
なお、抜け止め部６ａをリブ４ｃ1に設け、抜け止め部６ｂをフランジ部３ａ2に設けることもできる。本発明によれば、また、抜け止め部６ａ，６ｂは、フランジ部３ａ1側に設けることもできる。
【００４４】
更に、本形態では、第２部材４に設けたリブ４ｃ1のうち、横方向側の端部に位置するリブ４ｃ1の内側面（溝底面）４ｇ1が第１部材３の横方向側に位置する外縁３ｅ1と接触して２つの部材３，４を位置合せするためのストッパ部７を構成している。なお、ストッパ部７は、第１部材３に設けることもできる。この場合、第１部材３における外縁３ｅ1と対向する位置の外縁３ｅ2に、第２部材４に向かって突出するリブ等を設け、当該リブ等が第２部材４の外縁４ｅ2と接触することで２つの部材３，４を位置合せするためのストッパ部とすることもできる。
【００４５】
上述したところは、本発明の一形態を示したにすぎず、特許請求の範囲において、種々の変更を加えることができる。例えば、本形態では、レール溝４ｇは、容器本体２の合せ面に沿った輪郭で形作られているリブ４ｃ1を利用して構成されていることで、リブ４ｃ1そのものも案内として、第１部材３のスライド操作をスムースなものとしているが、リブ４ｃ1そのものは、互いに独立して上下方向に配置されたものとすることができる。また、レール溝４ｇは、上下に設けることができる構成であれば、案内部４ｃのみでもよい。更に、本形態の各構成中に採用される要素は、適宜、転用等を行うことができる。
【産業上の利用可能性】
【００４６】
本発明は、揮散剤を収納する容器本体をフックによって吊り下げ保持される吊り下げ式揮散剤用容器であれば、様々なものに採用することができる。
【符号の説明】
【００４７】
１    吊り下げ式防虫剤用容器
２    容器本体
３    第１部材（第１の部材）
３ａ  フランジ部
３ａ1 上側フランジ部
３ａ2 下側フランジ部
３ｎ1 防虫剤シート配置用の凹部
３ｎ2 インジケータシート配置用の凹部
３ｒ  保持リブ
３ｒ1 先端縁
３ｒ2 座面
４    第２部材（第２の部材）
４ａ  フランジ部
４ｃ  案内部
４ｃ1 リブ
４ｃ2 側壁
４ｇ  レール溝
４ｎ1 防虫剤シート配置用の凹部
５    フック
６    抜け止め部
６ａ  抜け止め部（突起部）
６ｂ  抜け止め部（欠損部）
Ｓ1   防虫剤シート
Ｓ2   インジケータシート
Ｘ    拡大領域部（第１部材側）
Ｙ    拡大領域部（第２部材側）
【図１】
0005512565.tif 000002
【図２】
0005512565.tif 000003
【図３】
0005512565.tif 000004
【図４】
0005512565.tif 000005
【図５】
0005512565.tif 000006
【図６】
0005512565.tif 000007
【図７】
0005512565.tif 000008
【図８】
0005512565.tif 000009